(57)【要約】【課題】強制排水のように排水に水圧が加えられたとしても排水ホースがホースジョイントから抜ける落ちることがない排水トラップを提供する。【解決手段】床面に開口する排水管Ｃ内に挿入して設置する排水トラップであり、残留排水により水封して臭気を遮断する排水トラップ本体１と、排水トラップ本体１を支持する排水トラップ本体受部４と、排水トラップ本体受部４に接続されるホースジョイント６と、ホースジョイント６に設けたテーパー状フランジ部を係合させてホースジョイント６を排水トラップ本体受部４に接続するパッキンホルダー５とからなり、ホースジョイント６の排水ホース８の接続部に蛇腹状部８ａが嵌合する嵌入部６ｂが形成され、ホースジョイント６と排水ホース８との接続部をホースバンド固定金具７で緊縮してホースジョイント６に排水ホース８を接続する。【選択図】図１
2007138654.tif 000002
【特許請求の範囲】
【請求項１】
床面に開口する排水管内に挿入して設置する排水トラップにおいて、
残留排水により水封して臭気を遮断するための排水トラップ本体と、
該排水トラップ本体を支持する排水トラップ本体受部と、
該排水トラップ本体受部に接続されるホースジョイントと、
該ホースジョイントに設けたテーパー状フランジ部に係合し、該ホースジョイントを前記排水トラップ本体受部に接続するパッキンホルダーとからなり、
前記ホースジョイントの排水ホースの接続部に該排水ホースの蛇腹状部が嵌合する嵌入部が形成され、該ホースジョイントと該排水ホースとの接続部をホースバンド固定金具で緊縮して該ホースジョイントに該排水ホースを接続するようにしたことを特徴とする排水トラップ。
【請求項２】
前記嵌入部が、蛇腹状溝であることを特徴とする請求項１に記載の排水トラップ。
【請求項３】
前記排水トラップ本体が、前記ホースジョイントからの排水を導くストローと該ストローが挿入され、該ストローにより導かれた排水を排水管に送り込むとともに残留排水により水封して臭気を遮断するための排水カップとからなることを特徴とする請求項１又は２に記載の排水トラップ。
【請求項４】
前記排水トラップ本体が、前記排水カップの軸中心に前記ストローの軸中心が位置するように挿入されていることを特徴とする請求項３に記載の排水トラップ。
【請求項５】
前記排水カップの底部が、前記ストローから排水される排水を曲面で受けることを特徴とする請求項３又は４に記載の排水トラップ。
【発明の詳細な説明】
【技術分野】
【０００１】
本発明は、床面の排水口内などに設置され、洗濯機などの排水が強制排水される排水トラップに関するものである。
【０００２】
従来、洗い場、浴室、洗面所、洗濯機、或いは各種キャビネットなどからの排水は、自然排水が一般的であったが、近年、ドラム式洗濯機や浄化装置が流し台に設置されたものでは、排水に異物が混入して排水ホースが詰まるのを防止するために排水ポンプを設置して排水を強制排水することがある。このような場合、排水ホースには高い水圧が加わることになり、排水ホースがホースジョイントから抜け落ちる可能性がある。
【０００３】
従来の排水ホースの抜けを防止する排水トラップの一例としては、図３に示すものがある。同図において、床Ｆに設けた開口部Ｐに排水管Ｃが配設され、排水カップ１にはその上部に排水がオーバフローする越流孔１ａが設けられ、底部に排水ホース受部１ｂが設けられ、排水管Ｃの開口端を覆って排水カップ受部２が床Ｆ面に設けられ、排水カップ受部２の段差部に排水カップ１が載置されている。排水カップ受部２に嵌合するパッキンホルダー４にゴムパッキン５が設けられ、排水ホース３がゴムパッキン５の開口閉鎖部材５ａを貫通して排水ホース３の先端部が排水ホース受部１ｂに接触している。排水ホース３は排水カップ１の底部まで差し込まれることにより開口閉鎖部材５ａに嵌合し、容易に抜けないようにするとともに、排水ホース３を残留排水内に水没させて水封機構を構成している。（例えば、特許文献１参照）
【０００４】
【特許文献１】実用新案登録第３０１４０４１号（明細書全文，図面全図）
【発明の開示】
【発明が解決しようとする課題】
【０００５】
上記従来例の排水トラップは、排水ホースが水封機構に組み込まれた構成であり、自然排水では排水ホースが外れないような構造である。この排水トラップは排水が排水カップの底面から直上への流れと急峻に流れの方向を変えて越流孔から排水管に流れ落ちる構造であるので、強制排水のように水圧を加えて排水する場合、排水ホースには上方に持ち上げられるような力が加わり、排水ホースが排水カップから徐々に抜け出して外れるおそれがあった。また、他の従来例としては、排水トラップに屈曲したホースジョイントが設けられ、ホースジョイントの先端部に排水ホースを差し込んで固定バンドで排水ホースを固定するものがあるが、同様に水圧により排水ホースが徐々に抜け落ちる可能性があった。
【０００６】
本発明は、上述のような課題に鑑みなされたものであり、強制排水のように排水に水圧が加えられたとしても排水ホースがホースジョイントから抜ける落ちることがない排水トラップを提供することを目的とするものである。
【課題を解決するための手段】
【０００７】
本発明は、上述の課題を解決したものであり、請求項１の発明は、床面に開口する排水管内に挿入して設置する排水トラップにおいて、
残留排水により水封して臭気を遮断するための排水トラップ本体と、
該排水トラップ本体を支持する排水トラップ本体受部と、
該排水トラップ本体受部に接続されるホースジョイントと、
該ホースジョイントに設けたテーパー状フランジ部に係合し、該ホースジョイントを前記排水トラップ本体受部に接続するパッキンホルダーとからなり、
前記ホースジョイントの排水ホースの接続部に該排水ホースの蛇腹状部が嵌合する嵌入部が形成され、該ホースジョイントと該排水ホースとの接続部をホースバンド固定金具で緊縮して該ホースジョイントに該排水ホースを接続するようにしたことを特徴とする排水トラップである。
【０００８】
また、請求項２の発明は、前記嵌入部が、蛇腹状溝であることを特徴とする請求項１に記載の排水トラップである。
【０００９】
また、請求項３の発明は、前記排水トラップ本体が、前記ホースジョイントからの排水を導くストローと該ストローが挿入され、該ストローにより導かれた排水を排水管に送り込むとともに残留排水により水封して臭気を遮断するための排水カップとからなることを特徴とする請求項１又は２に記載の排水トラップである。
【００１０】
また、請求項４の発明は、前記排水トラップ本体が、前記排水カップの軸中心に前記ストローの軸中心が位置するように挿入されていることを特徴とする請求項３に記載の排水トラップである。
【００１１】
また、請求項５の発明は、前記排水カップの底部が、前記ストローから排水される排水を曲面で受けることを特徴とする請求項３又は４に記載の排水トラップである。
【発明の効果】
【００１２】
請求項１の発明では、床面に開口する排水管内に挿入して設置する排水トラップにおいて、
残留排水により水封して臭気を遮断するための排水トラップ本体と、
該排水トラップ本体を支持する排水トラップ本体受部と、
該排水トラップ本体受部に接続されるホースジョイントと、
該ホースジョイントに設けたテーパー状フランジ部に係合し、該ホースジョイントを前記排水トラップ本体受部に接続するパッキンホルダーとからなり、
前記ホースジョイントの排水ホースの接続部に該排水ホースの蛇腹状部が嵌合する嵌入部が形成され、該ホースジョイントと該排水ホースとの接続部をホースバンド固定金具で緊縮して該ホースジョイントに該排水ホースを接続するようにしたことを特徴とする排水トラップであるので、ホースジョイントの内面側に形成された嵌入部に排水ホースの蛇腹状部が嵌合し、かつホースジョイントの先端部をホースバンド金具で緊縮して排水ホースを固定することができ、排水に水圧が加えられて排水されたとしても排水ホースがホースジョイントから抜け落ちることがない。
【００１３】
また、請求項２の発明では、前記嵌入部が、蛇腹状溝であることを特徴とする請求項１に記載の排水トラップであるので、ホースジョイントの蛇腹状溝に排水ホースの蛇腹状部が嵌合するので、水圧の加えられた排水であっても排水ホースがホースジョイントから抜け落ちることがない。
【００１４】
また、請求項３の発明では、前記排水トラップ本体が、前記ホースジョイントからの排水を導くストローと該ストローが挿入され、該ストローにより導かれた排水を排水管に送り込むとともに残留排水により水封して臭気を遮断するための排水カップとからなることを特徴とする請求項１又は２に記載の排水トラップであるので、排水ホースからホースジョイントを経て排出される排水は、ストロー部分で殆ど流水抵抗を受けることなく流れて越流孔から排水管内に流れ出し、排水に水圧が加えられて排水されたとしても排水ホースがホースジョイントから抜け落ちることがない。
【００１５】
また、請求項４の発明では、前記排水トラップ本体が、前記排水カップの軸中心に前記ストローの軸中心が位置するように挿入されていることを特徴とする請求項３に記載の排水トラップであるので、排水がホースジョイントを経てストローを流下する際の流水抵抗が極めて低いために、排水に水圧が加えられたとしても排水ホースがホースジョイントから抜け落ちることがない。
【００１６】
また、請求項５の発明では、前記排水カップの底部が、前記ストローから排水される排水を曲面で受けることを特徴とする請求項３又は４に記載の排水トラップであるので、ストローから排出される排水が排水カップの底部で流水抵抗を受け難くなり、越流孔に送り込まれて排水され、排水に水圧が加えられたとしても排水ホースがホースジョイントから抜け落ちることがない。
【発明を実施するための最良の形態】
【００１７】
以下、本発明に係る排水トラップの実施形態について図面を参照して説明する。先ず、図１は本発明の一実施形態を示す断面図であり、図２は本発明の他の実施形態を示す要部断面図である。
【００１８】
本実施形態の排水トラップは、図１に示すように、床Ｆの設けられた開口部Ｐに排水管Ｃが設けられ、排水管Ｃの開口端に排水トラップ受部４が載置されてネジＳにより床Ｆ面に固定され、排水トラップ本体１が排水トラップ受部４の段差部に載置されている。排水トラップ本体１は排水カップ２の上部に越流部２ａが設けられ、排水カップ２内にストロー３が挿入されている。ストロー３の排水流入部は、流水抵抗を受け難いように滑らかな湾曲部３ａが形成されている。また、同様に排水カップ２の底部２ｂは、流水抵抗を受け難いように、湾曲した略半球状の曲面となっている。
【００１９】
また、排水トラップ受部４は、排水トラップ本体１を受ける段差部が形成されているとともに、環状突起部４ａが形成され、その内面側にネジ４ｂが形成されている。排水管Ｃと排水トラップ受部４との間は、アタッチメントが装着されて排水の流路が形成されている。また、排水トラップ受部４の環状突起部４ａのネジ４ｂには、ホースジョイント６が挿通されたパッキンホルダ５が螺合し、ホースジョイント６のテーパー状フランジ部６ａ側の開口端が排水トラップ本体１を押圧するように設けられ、パッキンホルダ５のテーパ面６ｃとホースジョイント６のテーパー状フランジ部６ａのテーパ面５ａとが接触して密着し、排水トラップ本体１を強固に押圧し、臭気が漏れることがないように取り付けられている。
【００２０】
ホースジョイント６は、その上端部の内面側に嵌入部６ｂが形成されている。排水ホース８は、排水ホース８の先端部８ｂをホースジョイント６の開口端近傍まで差し込まれ、排水ホース８の蛇腹状部８ａが嵌入部６ｂに嵌入するように取り付けられ、さらに、ホースバンド金具７により、ホースジョイント６の上端部の外周側から緊縮して強固に接続されている。ホースジョイント６は、弾力性を有する柔らか目の合成樹脂が用いられ、排水ホース８の先端部８ｂが蛇腹状に密着し、強固に接続されている。また、ホースジョイント６の上端部内面側の嵌入部６ｂに蛇腹状溝を形成し、排水ホース８の先端部８ｂをホースジョイント６の開口端近傍まで差し込み、排水ホース８の蛇腹状部８ａが嵌入部６ｂの蛇腹状溝に嵌合するように取り付け、さらに、ホースバンド金具７により、ホースジョイント６の上端部の外周側から緊縮して強固に接続してもよい。
【００２１】
本実施形態の排水トラップは、排出された排水が湾曲部３ａに沿って流れることにより極端な流水抵抗を受けることなく、ストロー３内を流下し、排水カップ２内に流れ込み、排水カップ２の底部２ｂの曲面に沿って流速が殆ど減衰することなく流れて越流部２ａから排水管Ｃに排出される構成となっている。従って、ドラム式洗濯機などのように、排水ポンプなどにより強制的に排水されて排水トラップに送り込まれたとしても排水ホース８に衝撃を加えることなく、排水トラップ内を流下して排水される。従って、排水ホース８に加わる衝撃は殆ど無視できる程度となり、排水ホース８がホースジョイント６から抜け落ちることがない。
【００２２】
次に、本発明の他の実施形態について図２を参照して説明する。図２は、上記実施形態とは排水トラップ本体の構造が異なるが、他の構造は上記実施形態と同様の構成である。図２の実施形態では、排水トラップ本体１′が排水カップ２′と排水カップ２′に挿入されるストロー３′とから構成され、ストロー３′の中心軸が排水カップ２′の中心軸と略一致するように組み込まれている。排水カップ２′はその上部に越流部２ａ′が設けられている。排水カップ２′の底部２ｂ′は、内部の中心に円錐状突起２ｃが設けられている。
【００２３】
ストロー３′を流下する排水は、円錐状突起２ｃを中心に分散されて排水カップ２′の内壁面に沿って流れて越流部２ａ′から排水管Ｃに流れ出る。排水は、排水トラップ本体１′の軸中心を流下して円錐状突起２ｃに到達して分散されて越流部２ａ′から排水管Ｃに排水されており、排水トラップ本体１′内での流水抵抗は極めて小さく、排水ポンプなどにより強制的に排水される場合であっても排水が排水トラップに送り込まれたとしても排水ホースに衝撃を与えることなく、排水トラップ内を流下して排水される。従って、上記実施形態と比較して、排水ホース８に加わる衝撃は殆ど無視できる程度となり、排水ホース８にホースジョイント６から押し出すような力が加わることがなく、排水ホース８がホースジョイント６から抜け落ちることがない。
【産業上の利用可能性】
【００２４】
本発明の活用例としては、洗い場、浴室、洗面所、洗濯機、或いは各種キャビネット等の排水トラップとして利用することができ、殊にドラム式洗濯機の排水ホースが接続される排水トラップとして効果的である。
【図面の簡単な説明】
【００２５】
【図１】本発明に係る排水トラップの一実施形態を示す断面図である。
【図２】本発明の他の実施形態を示す要部断面図である。
【図３】従来の排水トラップの一例を示す断面図である。
【符号の説明】
【００２６】
１  排水トラップ本体
２  排水カップ
２ａ  越流部
２ｂ  底部
３  ストロー
３ａ  湾曲部
４  排水トラップ受部
４ａ  環状突起部
４ｂ  ネジ
５パッキンホルダ
５ａ  テーパ面
６  ホースジョイント
６ａ  テーパー状フランジ部
６ｂ  嵌入部
６ｃ  テーパ面
７  ホースバンド金具
８  排水ホース
８ａ  蛇腹状部
８ｂ  先端部
Ｆ  床
Ｐ  開口部
Ｃ  排水管
【図１】
2007138654.tif 000003
【図２】
2007138654.tif 000004
【図３】
2007138654.tif 000005